(57)【特許請求の範囲】
【請求項１】
アルカリ金属塩化物、アルカリ土類金属塩化物及びアルカリ金属フッ化物からなる群から選択される少なくとも１種の化合物を含有する酸化カルシウムからなり、該酸化カルシウムは、炭酸カルシウム若しくは水酸化カルシウムを原料とし、該原料に、アルカリ金属塩化物、アルカリ土類金属塩化物及びアルカリ金属フッ化物からなる群から選択される少なくとも１種の化合物を、０．０１〜１０重量％の範囲で添加して、９００〜１１００℃で窒素雰囲気下で焼成することによって調製してなるものである、ＣＦ４ ，Ｃ２ Ｆ６ ，Ｃ３ Ｆ８ ，ＣＨＦ３ ，ＣＣｌ２ Ｆ２ ，ＣＨＣｌＦ２ ，ＳＦ６ 及びＮＦ３ のうちの少なくとも１種を含むハロゲンガスを分解処理するための処理剤。
【請求項２】
炭酸カルシウム若しくは水酸化カルシウムを原料とし、該原料に、塩化ナトリウム、塩化カリウム、塩化カルシウム、塩化マグネシウム、フッ化ナトリウム、フッ化カリウム及びフッ化リチウムからなる群から選択される少なくとも１種の化合物を、０．０１〜１０重量％の範囲で添加して、９００〜１１００℃で窒素雰囲気下で焼成することを特徴とする請求項１記載の処理剤の製造方法。
【請求項３】
請求項１記載の処理剤と接触させて、ＣＦ４ ，Ｃ２ Ｆ６ ，Ｃ３ Ｆ８ ，ＣＨＦ３ ，ＣＣｌ２ Ｆ２ ，ＣＨＣｌＦ２ ，ＳＦ６ 及びＮＦ３ のうちの少なくとも１種を含むハロゲンガスを分解処理することを特徴とするハロゲンガスの無害化方法。
【請求項４】
請求項１記載の処理剤の少なくとも１種を、除害装置に充填し、２００〜９００℃にて前記ハロゲンガスと接触させることを特徴とする請求項３記載のハロゲンガスの無害化方法。
【発明の詳細な説明】
【技術分野】
【０００１】
本発明は、パーフルオロ化合物（ＰＦＣｓ）、ハイドロフルオロ化合物（ＨＦＣｓ）、クロロフルオロカーボン（ＣＦＣｓ）及びハイドロクロロフルオロカーボン（ＨＣＦＣｓ）などの有機ハロゲン化合物や、ＳＦ6 ，ＮＦ3 などの無機ハロゲン化合物など（特にフッ素、塩素を含有するハロゲン化合物）を、効率良く高い分解率で分解し、無害化するための処理剤及びその製造方法、並びにこの処理剤を用いたハロゲン化ガスの無害化方法に関するものである。
【背景技術】
【０００２】
半導体工場のエッチングプロセスやＣＶＤプロセスから排出されるガス中には、フッ素などのハロゲンを含む化合物が存在する。具体的には、ＣＦ4，Ｃ2Ｆ6．Ｃ3Ｆ8，ＳＦ6、ＮＦ3，ＣＨＦ3などのＰＦＣｓ及びＨＦＣｓなどの化合物が含まれている。また、冷蔵庫やカークーラーなどの冷媒には、ＣＣｌ2Ｆ2やＣＨＣｌＦ2などのフロンガスが使われており、冷蔵庫や自動車を廃棄する時にその処理が問題となっている。
エッチングプロセスやＣＶＤプロセスからの排ガス中のＰＦＣｓ及びＨＦＣｓなどは、洗浄剤や冷媒に比較して使用量が僅かであることや、ＮＦ3を除いて人体に対して害が少ないことから、かつては大気に放出されて、地球温暖化に影響を及ぼしてきたが、現在では種々の対策がとられている。一方、ＣＦＣｓやＨＣＦＣｓなども、オゾン破壊係数が大きいため、オゾン層を保護するべく様々な対策がとられていることは周知のとおりである。
【０００３】
上記の対策の中でも、アルカリ金属化合物やアルカリ土類金属化合物を用いた固体状の処理剤あるいはこれらの水溶液で、ハロゲン化ガスを反応（吸着、吸収）、熱分解することは、よく知られた方法である。
しかし、このような処理剤でハロゲン化ガスを熱分解する場合、９００〜１２００℃という高温を必須とするなどの問題がある。特に、ＣＦ4 などは非常に安定であり、熱分解が困難である。また、熱分解により、有害な酸性ガスや酸化性ガスが発生するなどの問題も生じている。
このように、ハロゲン化ガスを完全に無害化し、処理し得る方法はいまだなく、また、ガス中のハロゲン化合物の濃度に関係無く処理し得る方法も見当たらず、上記のような問題点を解決できる技術が期待されている。
【発明の概要】
【発明が解決しようとする課題】
【０００４】
従って、本発明の目的は、ＰＦＣｓ，ＨＦＣｓ，ＨＣＦＣｓ及びＣＦＣｓなどのハロゲンを含む化合物を効率良くしかも比較的低温で分解でき、且つその分解生成物である有害物質も無害化でき、また除害装置と組み合わせることにより、長期間にわたり運転が可能で、ガス中のハロゲン化合物の濃度に関係無く連続的に処理できるハロゲン化ガス処理剤を提供することにある。
【課題を解決するための手段】
【０００５】
本発明者らは、上記目的を達成すべく鋭意検討した結果、特定の化合物を含有し且つ特定の条件下で焼成して調製した酸化カルシウム及び酸化マグネシウムが、ハロゲン化ガスを高い分解率で処理し得ることを知見した。
本発明は、上記知見に基づいてなされたもので、下記のハロゲン化ガス処理剤、該処理剤の製造方法及び該処理剤を用いたハロゲン化ガスの無害化方法を提供するものである。
【０００６】
「アルカリ金属塩化物、アルカリ土類金属塩化物及びアルカリ金属フッ化物からなる群から選択される少なくとも１種の化合物を含有し、窒素雰囲気下で焼成することによって調製した酸化カルシウムまたは酸化マグネシウムからなる、ハロゲン化ガス処理剤。」
【０００７】
「炭酸カルシウム若しくは水酸化カルシウム、または、炭酸マグネシウム若しくは水酸化マグネシウムを原料とし、該原料に、塩化ナトリウム、塩化カリウム、塩化カルシウム、塩化マグネシウム、フッ化ナトリウム、フッ化カリウム及びフッ化リチウムからなる群から選択される少なくとも１種の化合物を、０．０１〜１０重量％の範囲で添加して、窒素雰囲気下で焼成することを特徴とする上記の本発明のハロゲン化ガス処理剤の製造方法。」
【０００８】
「上記の本発明のハロゲン化ガス処理剤の少なくとも１種を、除害装置に充填し、２００〜９００℃にてハロゲン化ガスと接触させることを特徴とするハロゲン化ガスの無害化方法。」
【発明の効果】
【０００９】
本発明のハロゲン化ガス処理剤は、ＰＦＣｓ，ＨＦＣｓ，ＨＣＦＣｓ及びＣＦＣｓなどのハロゲンを含む化合物を効率良くしかも比較的低温で分解でき、且つその分解生成物である有害物質も無害化でき、また除害装置と組み合わせることにより、長期間にわたり運転が可能で、ガス中のハロゲン化合物の濃度に関係無く連続的に処理できる。
【発明を実施するための形態】
【００１０】
以下、本発明のハロゲン化ガス処理剤、該処理剤の製造方法及び該処理剤を用いたハロゲン化ガスの無害化方法について詳述する。
本発明のハロゲン化ガス処理剤を構成する酸化カルシウムまたは酸化マグネシウムは、アルカリ金属塩化物、アルカリ土類金属塩化物及びアルカリ金属フッ化物からなる群から選択される少なくとも１種の化合物を含有するものであるが、この「アルカリ金属塩化物、アルカリ土類金属塩化物及びアルカリ金属フッ化物からなる群から選択される少なくとも１種の化合物を含有する酸化カルシウムまたは酸化マグネシウム」とは、炭酸カルシウム若しくは水酸化カルシウムや、炭酸マグネシウム若しくは水酸化マグネシウムなどの原料を用いて酸化カルシウムまたは酸化マグネシウムを製造する際、上記原料に上記塩化物またはフッ化物を添加した後、焼成して得られる酸化カルシウムまたは酸化マグネシウムであり、上記原料を焼成して得た酸化カルシウムまたは酸化マグネシウムに上記塩化物またはフッ化物を後添加したものは含まない。
【００１１】
本発明のハロゲン化ガス処理剤の好ましい実施形態としては、例えば、下記(1)〜(4)のハロゲン化ガス処理剤が挙げられる。
(1)アルカリ金属塩化物またはアルカリ土類金属塩化物の少なくとも１種を含有する酸化カルシウムであって、窒素雰囲気下で焼成することによって調製したハロゲン化ガス処理剤。
(2)アルカリ金属塩化物またはアルカリ土類金属塩化物の少なくとも１種を含有する酸化マグネシウムであって、窒素雰囲気下で焼成することによって調製したハロゲン化ガス処理剤。
(3)アルカリ金属フッ化物の少なくとも１種を含有する酸化カルシウムであって、窒素雰囲気下で焼成することによって調製したハロゲン化ガス処理剤。
(4)アルカリ金属フッ化物の少なくとも１種を含有する酸化マグネシウムであって、窒素雰囲気下で焼成することによって調製したハロゲン化ガス処理剤。
本発明のハロゲン化ガス処理剤を上記(1)〜(4)の好ましい実施形態についてその製造方法とともに以下に説明する。
【００１２】
まず、上記実施形態(1)について説明する。
酸化カルシウムは、市販されており簡単に入手できるが、これらの市販品は空隙率が小さく、比表面積も大きくないこともあって、反応性に乏しい。これは、酸化カルシウムの一般的な工業上の製法によるところと思われる。即ち、石灰石（主成分は炭酸カルシウム）を、空気中１０００℃以上の温度で塊状のまま長時間焼成しているため、結晶が焼結して、充分な空隙や表面活性を得られなくなっているからである。
本実施形態(1)のハロゲン化ガス処理剤は、上述のように、原料の焼成時前に原料にアルカリ金属塩化物またはアルカリ土類金属塩化物を添加し、窒素雰囲気下で焼成することにより、焼成時の結晶の焼結を抑制し、ハロゲン化ガスに対して高反応性で、ハロゲン化ガスを高い分解率で処理し得るようになしたものである。
【００１３】
上記塩化物の添加量は、生成する酸化カルシウムの理論量に対して、アルカリ金属塩化物では０．０１〜７．０重量％、特に０．０９〜５．０重量％の範囲が好ましく、またアルカリ土類金属塩化物では０．０１〜１０重量％、特に０．０９〜５．０重量％の範囲が好ましい。これより多いと、ポーラスで反応性の高い生成物が得られ難く、ガスの分解効率も悪くなる。また、これより少ない場合も、有効な生成物が得られ難い。
【００１４】
上記アルカリ金属塩化物としては、塩化ナトリウム、塩化カリウムが好ましく、上記アルカリ土類金属塩化物としては、塩化カルシウム、塩化マグネシウムが好ましい。
また、上記塩化物が添加される原料としては、炭酸カルシウムの他、水酸化カルシウムなどが用いられる。
【００１５】
また、上記窒素雰囲気下での焼成は、通常、９００〜１１００℃で２〜５時間行うことが好ましいが、水酸化カルシウムを原料とする場合は、６００℃程度で焼成可能である。
【００１６】
本実施形態(1)のハロゲン化ガス処理剤は、単に炭酸カルシウムや水酸化カルシウムを焼成しただけの酸化カルシウムに比べて比表面積が格段に増加している。
例えば、粒状の炭酸カルシウム１ｋｇに塩化ナトリウム５ｇ（０．９重量％／ＣａＯ）を添加した混合物を、電気炉に入れ（昇温速度２００℃／ｈｒ）、窒素雰囲気下９００℃で焼成することによって調製したハロゲン化ガス処理剤は、比表面積７〜８ｍ2／ｇ（ＢＥＴ法）、空隙率５５〜６５％（水銀圧入法）となり、塩化物を添加せずに調製した酸化カルシウムに比べて比表面積が３〜４倍に増加している。
また、塩化ナトリウムの代わりに塩化マグネシウムを０．９重量％添加して、上記と同様の条件下で焼成したものも、ほぼ同じ位の比表面積と空隙率とが得られ、ハロゲン化ガスに対して高反応性である。
また、本実施形態(1)のハロゲン化ガス処理剤は、市販の酸化カルシウムに上記塩化物を後添加して調製したものに比べても高反応性である。
【００１７】
次に、上記実施形態(2)について説明する。
本実施形態(2)のハロゲン化ガス処理剤は、原料として炭酸マグネシウムまたは水酸化マグネシウムを用いた以外は、上記実施形態(1)のハロゲン化ガス処理剤と同様な工程で調製されたものである。
【００１８】
本実施形態(2)における上記塩化物の添加量は、生成する酸化マグネシウムの理論量に対して、アルカリ金属塩化物及びアルカリ土類金属塩化物の何れにおいても０．０５〜１０重量％、特に０．０９〜５．０重量％の範囲が好ましい。
また、窒素雰囲気下での焼成は、通常、６００〜９００℃で１〜５時間程度行えば良い。
【００１９】
次に、上記実施形態(3)について説明する。
本実施形態(3)のハロゲン化ガス処理剤は、上記塩化物の代わりにアルカリ金属フッ化物を用いた以外は、上記実施形態(1)のハロゲン化ガス処理剤と同様な工程で調製されたものである。
【００２０】
本実施形態(3)における上記アルカリ金属フッ化物の添加量は、生成する酸化カルシウムの理論量に対して、０．０１〜１０重量％、特に０．０５〜５．０重量％の範囲が好ましい。
上記アルカリ金属フッ化物としては、フッ化ナトリウム、フッ化カリウム、フッ化リチウムが好ましい。
また、窒素雰囲気下での焼成は、通常、９００〜１１００℃で１〜５時間程度行えば良い。
【００２１】
次に、上記実施形態(4)について説明する。
本実施形態(4)のハロゲン化ガス処理剤は、原料として炭酸マグネシウムまたは水酸化マグネシウムを用いた以外は、上記実施形態(3)のハロゲン化ガス処理剤と同様な工程で調製されたものである。
【００２２】
本実施形態(4)におけるアルカリ金属フッ化物の添加量は、生成する酸化マグネシウムの理論量に対して、０．０１〜１０重量％、特に０．０５〜５．０重量％の範囲が好ましい。
また、窒素雰囲気下での焼成は、通常、６００以上で１〜５時間程度行えば良い。
【００２３】
本発明のハロゲン化ガス処理剤は、単独で用いても良いし、また２種以上混合して使用しても良い。また、ハロゲン化ガスとの接触において、特定の処理剤のひとつを前段、それ以外の他の処理剤を後段に配置して順次接触させるなど、組み合わせによる使用もできる。
本発明のハロゲン化ガス処理剤により処理されるハロゲン化ガスとしては、ＣＦ4，Ｃ2Ｆ6，Ｃ3Ｆ8，ＣＨＦ3，ＣＣｌ2Ｆ2，ＣＨＣｌＦ2，ＳＦ6及びＮＦ3のうちの少なくとも１種を含むガスが挙げられる。
本発明のハロゲン化ガス処理剤と上記ハロゲン化ガスとを接触させる温度は、２００〜９００℃が好ましく、特に好ましくは３００〜８００℃である。最も安定なＣＦ4も、８００℃でほぼ完全に分解できる。本発明のハロゲン化ガス処理剤と上記ハロゲン化ガスとの反応は、２００℃以上で速やかに進む。
【００２４】
次に、本発明のハロゲン化ガス処理剤を除害装置と組み合わせることにより、ハロゲン化ガスを無害化する本発明の無害化方法について説明する。
上記除害装置としては、例えば、本発明のハロゲン化ガス処理剤の１種以上を充填し得るガス反応部を有し、この反応部内の温度を測定・制御するための計器と、外部加熱するための電気炉を設置したものが挙げられ、さらに、反応部通過後のガスについて、未反応のハロゲン化合物を検知するための赤外線吸収式検知器を設置したものが好ましい。これにより、排出ガス中の未反応のハロゲン化合物を上記検知器が感知するため、処理剤の劣化状況がわかり、処理剤の交換又は供給時期を外部からモニタリングすることができる。
【００２５】
また、反応部は反応器２塔を並列に並べておき、１塔をまず使用し、そして、検知器が排出ガス中の未反応ハロゲン化合物を感知すると、ガス導入バルブが、未使用であったもう１塔へと切り替わり、ガスをそちらへ導入することができるように制御システムを組んだものが好ましい。バルブが切り替わった後は、使用済の反応器の処理剤を交換することができるため、ハロゲン化ガス無害化処理の連続運転が可能となる。
【００２６】
また、反応器１塔で処理する場合は、処理剤供給部と処理剤排出部とを装備しておき、検知器が排出ガス中の未反応ハロゲン化合物を検知すると自動的に処理剤排出部から反応器中の使用済処理剤が系外へ排出され、処理剤供給部から処理剤を供給することにより、連続的又は断続的に処理することができるようにすると良い。
【００２７】
処理剤供給部は反応器内へ処理剤を供給するための装置であり、具体的には処理剤定量供給部、処理剤搬出部及び処理剤貯蔵部で構成される。処理剤定量供給部は定量供給するための装置とそれを自動供給するための自動バルブなどが設置されており、排出ガス中のハロゲン化合物を検知器でモニターし、所定の濃度に達すると処理剤を自動供給する。処理剤搬出部は処理剤を貯蔵部から定量供給部へ搬出するためのものであり、例えば、スクリューフィーダ式、ブロー式及びエンドレスベルト式などの方法があり、特に限定されるものではない。処理剤貯蔵部は、反応器へ処理剤を供給するための保管庫であり、処理剤が貯蔵できる容器であれば、材質、形状、大きさなど、限定されるものではない。
【００２８】
使用済み処理剤は、処理剤排出部により、系外へ排出される。処理剤排出部は排出部、搬出部及び廃剤貯蔵部で構成され、排出部は振動式、スクリューフィーダ式、ロータリーまたはロールフィーダ式、テーブルフィーダ式、ベルトフィーダ式などの方法により、廃剤を反応器より排出し、前述した搬出部により廃剤貯蔵部へ送出される。廃剤貯蔵庫は廃剤が保管できる容器であれば、材質、形状、大きさなど、限定されるものではない。これらの廃剤排出においても、ガス検知と組み合わせることにより、自動的に排出することができる。これらの方法は一例であり、特に限定されるわけではない。
このようにして、長期間にわたり運転が可能となり、供給ガス中のハロゲン化合物の濃度に関係無く、ハロゲン化ガスを連続的に処理できる。
【００２９】
上記のような除害装置に充填した本発明のハロゲン化ガス処理剤とハロゲン化ガスとの接触は、好ましくは２００〜９００℃、より好ましくは３００〜８００℃の温度下に行う。このように本発明のハロゲン化ガス処理剤とハロゲン化ガスとを接触させることにより、ＣＦ4，Ｃ2Ｆ6，Ｃ3Ｆ8，ＳＦ6，ＮＦ3，ＣＨＦ3，ＣＣｌ2Ｆ2及びＣＨＣｌＦ2などを１種以上含むハロゲン化ガスを、分解率９９．９％以上で処理することができる。
【実施例】
【００３０】
以下、本発明を実施例によってさらに説明する。
【００３１】
実施例１
粒状に粉砕して粒径３〜６ｍｍに櫛別したＣａＣＯ3 ２ｋｇに、ＮａＣｌを０．０９重量％添加、混合したものを、Ｎ2雰囲気下、毎時２００℃で昇温後、９００℃にて５時間焼成し、ハロゲン化ガス処理剤を調製した。
【００３２】
実施例２
１１００℃にて焼成した以外は、実施例１と同様にしてハロゲン化ガス処理剤を調製した。
【００３３】
実施例３
ＣａＣＯ3の代わりにＣａ（ＯＨ）2を用いて、６００℃にて焼成した以外は、実施例１と同様にしてハロゲン化ガス処理剤を調製した。
【００３４】
実施例４
ＮａＣｌの代わりにＫＣｌを添加した以外は、実施例１と同様にしてハロゲン化ガス処理剤を調製した。
【００３５】
実施例５
ＮａＣｌの代わりにＣａＣｌ2を添加した以外は、実施例１と同様にしてハロゲン化ガス処理剤を調製した。
【００３６】
比較例１
粒状に粉砕したＣａＣＯ3を、空気中で６００℃にて焼成し、ハロゲン化ガス処理剤を調製した。
【００３７】
比較例２
９００℃にて焼成した以外は、比較例１と同様にしてハロゲン化ガス処理剤を調製した。
【００３８】
比較例３
粒状に粉砕したＣａＯを、Ｎ2雰囲気下９００℃にて焼成し、ハロゲン化ガス処理剤を調製した。
【００３９】
比較例４
粒状に粉砕したＣａ（ＯＨ）2にＮａＣｌを０．０９重量％添加、混合したものを、空気中で６００℃にて焼成し、ハロゲン化ガス処理剤を調製した。
【００４０】
比較例５
粒状に粉砕したＣａＣＯ3にＮａＣｌを０．０９重量％添加、混合したものを、空気中で９００℃にて焼成し、ハロゲン化ガス処理剤を調製した。
【００４１】
実施例６
粒状に粉砕して粒径３〜６ｍｍに櫛別したＭｇＣＯ3 ２ｋｇに、ＣａＣｌ2を５．０重量％添加、混合したものを、Ｎ2雰囲気下６００℃にて５時間焼成し、ハロゲン化ガス処理剤を調製した。
【００４２】
実施例７
ＭｇＣＯ3の代わりにＭｇ（ＯＨ）2を用いた以外は、実施例６と同様にしてハロゲン化ガス処理剤を調製した。
【００４３】
比較例６
粒状に粉砕したＭｇＯを、Ｎ2雰囲気下６００℃にて焼成し、ハロゲン化ガス処理剤を調製した。
【００４４】
実施例８
粒状に粉砕して粒径３〜６ｍｍに櫛別したＣａＣＯ3 ２ｋｇに、ＮａＦを０．０５重量％添加、混合したものを、Ｎ2雰囲気下、毎時２００℃で昇温後、１０００℃にて５時間焼成し、ハロゲン化ガス処理剤を調製した。
【００４５】
実施例９
ＣａＣＯ3の代わりにＣａ（ＯＨ）2を用いて、９００℃にて焼成した以外は、実施例８同様にしてハロゲン化ガス処理剤を調製した。
【００４６】
実施例１０
ＮａＦの代わりにＬｉＦを添加した以外は、実施例８と同様にしてハロゲン化ガス処理剤を調製した。
【００４７】
実施例１１
ＮａＦの代わりにＫＦを添加した以外は、実施例８と同様にしてハロゲン化ガス処理剤を調製した。
【００４８】
上記実施例１〜１１における原料、添加物及びその添加量、並びに焼成条件（雰囲気及び温度）を下記〔表１〕に、また上記比較例１〜６における原料、添加物及びその添加量、並びに焼成条件（雰囲気及び温度）を下記〔表２〕に、それぞれまとめて示した。
【００４９】
【表１】
0005074439.tif 000002
【００５０】
【表２】
0005074439.tif 000003
【００５１】
次に、上記の実施例１〜１１及び比較例１〜６で得られたハロゲン化ガス処理剤を用いてハロゲン化ガスを処理した試験例及び比較試験例を示す。
＜試験例及び比較試験例の基本操作＞
反応器として、内径４２ｍｍ、長さ１０００ｍｍのＳＵＳ製のパイプを垂直にセットし、各種処理剤を充填した反応器の底部から上部へ、種々のハロゲン化ガスを希釈用窒素ガスを混合して導入した。反応器は、電気炉で外部加熱し、内部温度２００℃〜８００℃になるように温度を調節した。
反応器の入口側には、ハロゲン化ガスと窒素ガスの充填ボンベを取り付け、圧力調整器で減圧し、混合ガスの流量を５００ｍｌ／ｍｉｎとして、１０分間導入した。また、反応器の出口には排出ガスを分析するために主幹ラインを分岐してサンプリングポートを設置した。サンプリングポートより採取した排出ガスは、ガスクロマトグラフィーで分析した。導入ガスまたは排出ガスの流量は、乾式ガスメーターで測定した。
また、反応器への処理剤の充填方法は、反応器の底部にＳＵＳメッシュ及び金網を詰めた後、粒径３．５〜５．５ｍｍの処理剤７００ｇを充填した。
ハロゲン化ガスの分解効率（％）は、次の式により求めた。
〔１−（排出ガス中の未分解ハロゲン化合物の量／導入したハロゲン化合物の量）〕×１００
【００５２】
試験例１〜１２
下記〔表３〕に示すハロゲン化ガス処理剤、ハロゲン化ガス種、ハロゲン化ガス導入量、窒素導入量及び反応温度により、上記基本操作をそれぞれ実施し、サンプリングポートより採取した排出ガスをガスクロマトグラフィーで分析して、ハロゲン化ガスの分解率を求めた。その結果を下記〔表３〕に示した。
下記〔表３〕に示す結果から明らかなように、本発明のハロゲン化ガス処理剤により処理された排ガスには、ハロゲン化合物はガスクロマトグラフィーの分析で検出されず（検出下限：０．０１％）、排ガスの主成分はＣＯ2，Ｎ2又はＳＯ2及びＮＯ2などであった。
【００５３】
【表３】
0005074439.tif 000004
【００５４】
試験例１３及び１４
下記〔表４〕に示すハロゲン化ガス処理剤、ハロゲン化ガス種、ハロゲン化ガス導入量、窒素導入量及び反応温度により、上記基本操作をそれぞれ実施し、サンプリングポートより採取した排出ガスをガスクロマトグラフィーで分析して、ハロゲン化ガスの分解率を求めた。その結果を下記〔表４〕に示した。
下記〔表４〕に示す結果から明らかなように、本発明のハロゲン化ガス処理剤により処理された排ガスには、ハロゲン化合物はガスクロマトグラフィーの分析で検出されず（検出下限：０．０１％）、排ガスの主成分はＣＯ2及びＮ2などであった。
【００５５】
【表４】
0005074439.tif 000005
【００５６】
比較試験例１〜５
下記〔表５〕に示すハロゲン化ガス処理剤、ハロゲン化ガス種、ハロゲン化ガス導入量、窒素導入量及び反応温度により、上記基本操作をそれぞれ実施し、サンプリングポートより採取した排出ガスをガスクロマトグラフィーで分析して、ハロゲン化ガスの分解率を求めた。その結果を下記〔表５〕に示した。
下記〔表５〕に示す結果から明らかなように、上記比較例１〜５で得られたハロゲン化ガス処理剤により処理された排ガスには、未分解のＣＦ4がガスクロマトグラフィーの分析で検出された。
【００５７】
【表５】
0005074439.tif 000006
【００５８】
試験例１５〜１７及び比較試験例６
下記〔表６〕に示すハロゲン化ガス処理剤、ハロゲン化ガス種、ハロゲン化ガス導入量、窒素導入量及び反応温度により、上記基本操作をそれぞれ実施し、サンプリングポートより採取した排出ガスをガスクロマトグラフィーで分析して、ハロゲン化ガスの分解率を求めた。その結果を下記〔表６〕に示した。
下記〔表６〕に示す結果から明らかなように、本発明のハロゲン化ガス処理剤により処理された排ガスには、ハロゲン化合物はガスクロマトグラフィーの分析で検出されず（検出下限：０．０１％）、排ガスの主成分はＣＯ2及びＮ2などであった。これに対し、上記比較例６で得られたハロゲン化ガス処理剤により処理された排ガスには、未分解のＣＦ4がガスクロマトグラフィーの分析で検出された。
【００５９】
【表６】
0005074439.tif 000007
【００６０】
試験例１８〜２８
下記〔表７〕に示すハロゲン化ガス処理剤、ハロゲン化ガス種、ハロゲン化ガス導入量、窒素導入量及び反応温度により、上記基本操作をそれぞれ実施し、サンプリングポートより採取した排出ガスをガスクロマトグラフィーで分析して、ハロゲン化ガスの分解率を求めた。その結果を下記〔表７〕に示した。
下記〔表７〕に示す結果から明らかなように、本発明のハロゲン化ガス処理剤により処理された排ガスには、ハロゲン化合物はガスクロマトグラフィーの分析で検出されず（検出下限：０．０１％）、排ガスの主成分はＣＯ2及びＮ2又はＳＯ2及びＮＯ2などであった。
【００６１】
【表７】
0005074439.tif 000008